(57)【特許請求の範囲】
【請求項１】
かみそり本体と、
桟によって画成された刃穴を有する外刃と、
当該外刃の内方に配設されて前記外刃に対して相対移動することで、前記刃穴に挿入させた体毛を切断する内刃と、
前記外刃の桟に設けられ、肌面上を移動する際に体毛に当接して肌面に対して体毛を起立させる起毛部と、を備え、
前記外刃が、肌面側に向けて突出した円弧状に形成されるとともに、前記かみそり本体の端部に露出して設けられる電気かみそりであって、
前記肌面が前記外刃の円弧に沿って移動するように前記かみそり本体を移動させた状態をかみそり本体の進行方向とした場合に、
前記起毛部は、前記外刃の円弧における頂点を境にして前記かみそり本体の進行方向前側に設けられる第１の起毛部と、進行方向後側に設けられる第２の起毛部とを有しており、
前記第２の起毛部の起毛力を、前記第１の起毛部の起毛力よりも大きくしたことを特徴とする電気かみそり。
【請求項２】
前記外刃の桟は、
前記第１および第２の起毛部が互いに同一形状に形成される一対の起毛桟と、
肌と接触する肌接触面が、前記第１および第２の起毛部よりも前記内刃側となるように設けられた第１の桟と、を備えており、
前記一対の起毛桟の間に、当該起毛桟と隣り合うように前記第１の桟を配置したことを特徴とする請求項１に記載の電気かみそり。
【発明の詳細な説明】
【技術分野】
【０００１】
本発明は、電気かみそりに関する。
【背景技術】
【０００２】
従来から、体毛を剃る種々の電気かみそりが開発されている。ここで、体毛の延びている方向と肌面とのなす角度は起毛角と呼ばれているが、起毛角が大きい（例えば、４５°〜６０°）体毛は剃りやすいが、起毛角が小さい（例えば、３０°以下）体毛、すなわち、寝ている体毛は剃りにくいという問題がある。そこで、寝ている体毛を起こす起毛力が従来よりも大きい起毛部を外刃の桟に設けた電気かみそりが開発されている（例えば、特許文献１参照）。
【先行技術文献】
【特許文献】
【０００３】
【特許文献１】特許第３０８３５４８号公報
【発明の概要】
【発明が解決しようとする課題】
【０００４】
ところで、上記従来の技術にあっては、この起毛部を有した外刃の起毛桟を均等に配置させているが、外刃は通常、肌面側に突出した円弧状に形成されている。
【０００５】
そのため、電気かみそりの使用時には、外刃の頂点を境にして進行方向前側の肌接触面と、進行方向後側の肌接触面とでは肌への密着の仕方が異なり、後側の肌接触面に設けられる第２の起毛部が、前側に設けられる第１の起毛部の起毛力よりも小さくなってしまう恐れがあった。
【０００６】
そこで、本発明は、外刃の頂点を境にして進行方向前側に設けられる第１の起毛部と後側に設けられる第２の起毛部の起毛力の差を緩和して、より効率的に体毛を起こすことのできる電気かみそりを得ることを目的とする。
【課題を解決するための手段】
【０００７】
かかる課題を解決するために、本発明にあっては、かみそり本体と、桟によって画成された刃穴を有する外刃と、当該外刃の内方に配設されて前記外刃に対して相対移動することで、前記刃穴に挿入させた体毛を切断する内刃と、前記外刃の桟に設けられ、肌面上を移動する際に体毛に当接して肌面に対して体毛を起立させる起毛部と、を備え、前記外刃が、肌面側に向けて突出した円弧状に形成されるとともに、前記かみそり本体の端部に露出して設けられる電気かみそりであって、前記肌面が前記外刃の円弧に沿って移動するように前記かみそり本体を移動させた状態をかみそり本体の進行方向とした場合に、前記起毛部は、前記外刃の円弧における頂点を境にして前記かみそり本体の進行方向前側に設けられる第１の起毛部と、進行方向後側に設けられる第２の起毛部とを有しており、前記第２の起毛部の起毛力を、前記第１の起毛部の起毛力よりも大きくしたことを特徴とする。
【発明の効果】
【０００８】
本発明によれば、第２の起毛部の起毛力を、第１の起毛部の起毛力よりも大きくしたので、電気かみそりの使用時には、肌面との接触圧が低い後側の肌接触面に設けられる第２の起毛部を、肌面により接触させやすくすることができる。その結果、第１の起毛部と第２の起毛部の起毛力の差を緩和することができるようになり、より効率的に体毛を起こすことができる。
【図面の簡単な説明】
【０００９】
【図１】本発明の一実施形態にかかる電気かみそりを示した正面図である。
【図２】図１に示す刃部の内刃を示した斜視図である。
【図３】図１のヘッド部を示した斜視図である。
【図４】図３の外刃の説明図である。
【図５】図１の外刃の一部を拡大した斜視図である。
【図６】図５のＡ−Ａ断面図である。
【図７】図５のＢ―Ｂ断面図である。
【図８】（ａ）は図５のＣ−Ｃ断面図、（ｂ）は起毛部の拡大断面図である。
【図９】図８の長手方向桟周辺を拡大した斜視図である。
【図１０】図９のＤ−Ｄ断面図である。
【図１１】図３の外刃が肌面に接触した状況を示す説明図である。
【発明を実施するための形態】
【００１０】
以下、本発明の実施形態について図面を参照しつつ詳細に説明する。図１〜１１は、本発明の一実施形態にかかる電気かみそりを示した図である。
【００１１】
図１に示すように、本実施形態の電気かみそり１は、かみそり本体３と、このかみそり本体３の先端に設けられる刃部４と、刃部４を動作させる図示せぬ駆動部と、を主体に構成されている。
【００１２】
かみそり本体３は、本実施形態では使用者が把持するグリップ部７と、該グリップ部７の上端部に連結されるヘッド部５とに分割されており、体毛を処理する刃部４が前記ヘッド部５に、駆動部により刃部４を動作させる（電源をオン、オフさせる）押圧式のスイッチ９が前記グリップ部７に設けられている。
【００１３】
刃部４は、図２および３に示すように、かみそり本体３の端部に露出して設けられる外刃１１と、この外刃１１の内方（外刃１１の下側）に配設されて、長手方向２３に往復移動する内刃１３とを備えている。
【００１４】
そして、本実施形態の外刃１１にあっては、第１のネット刃１７と、第２のネット刃１９と、第３のネット刃２１とから成り、電気かみそり１の進行方向（剃り方向）となる短手方向２５に沿って並列配置されるようになっている。具体的には、これら第１〜第３のネット刃１７、１９、２１は、前記短手方向２５と直交する長手方向２３に沿って延在しており、短手方向２５の両端（一端側と他端側）に第１のネット刃１７と第２のネット刃１９とが配置され、これら第１のネット刃１７と第２のネット刃１９との間に第３のネット刃２１が配置されている。
【００１５】
外刃１１を構成する第１〜第３のネット刃１７、１９、２１は、図４に示すように、使用者の肌側（本実施形態では上方）に向けて突出した円弧状に形成される。本実施形態では、第１〜第３のネット刃１７、１９、２１の短手方向２５に沿う断面が、それぞれ頂部２７および両側部２９、２９を有した逆Ｕ字状に形成されており、内刃１３は、このネット刃１７、１９、２１の内側形状に沿った形に形成されている。
【００１６】
外刃１１には、図５に示すように、それぞれ無数の刃穴３６が形成されており、これらの刃穴３６より取り込んだ体毛を、内刃１３が外刃１１に対して相対移動（長手方向２３に往復移動）することで、これら内刃１３と外刃１１とが協働して体毛を切断するようになっている。
【００１７】
刃穴３６は、その周囲を桟３２によって区画することにより形成されている。すなわち、外刃１１の桟３２は、短手方向２５に沿う方向に逆Ｕ字状に延在する横桟３５と、長手方向２３に沿う方向に延在する縦桟３０とを備えており、これら横桟３５および縦桟３０によって刃穴３６が画成されている。この刃穴３６は、体毛を挿入可能な大きさに形成されている。なお、同図中、一点鎖線Ｙは、頂部２７の短手方向２５の中心を通る中心線（頂点）である。
【００１８】
ここで、本実施形態の縦桟３０は、図６に示す断面形状の第１の桟３１と、図７に示す断面形状の第２の桟３４と、図８（ａ）に示す断面形状の起毛桟３３と、を備えている。
【００１９】
第１の桟３１は、図６に示すように、肌側（図６の上側）に形成されて肌が接触する略平坦状の表面（肌接触面）３１ａと、内刃１３側（図６の下側）に平坦状に形成された底面３１ｂと、表面（肌接触面）３１ａおよび底面３１ｂの短手方向同士を滑らかに結ぶ両側面３１ｃ，３１ｃと、で断面略蒲鉾状に形成されている。また、第１の桟３１の底部３１ｄの短手方向両端部には、内刃１３側に突出して内刃１３に摺接する摺接部３１ｅが形成されており、当該摺接部３１ｅと内刃１３とで体毛を切断するようになっている。そして、本実施形態では、第１の桟３１の上部３１ｆの短手方向端３１ｇが、曲率半径Ｒ１の断面半円状に形成されている。このＲ１は、例えば１０μｍが好ましい。なお、横桟３５の表面３７は第１の桟３１の表面３１ａよりも肌側に近づけており、第１の桟３１の表面３１ａと横桟３５との上下距離はＬ１に設定されている。
【００２０】
一方、第２の桟３４は、図７に示すように、第１の桟３１と略同じ外形形状を呈しており、略平坦状の表面（肌接触面）３４ａおよび底面３４ｂと、これらの短手方向同士を滑らかに結ぶ両側面３４ｃ，３４ｃと、で断面略蒲鉾状に形成されている。そして、第２の桟３４の表面３４ａは、第１の桟３１の表面３１ａよりも肌側に近づけており、第２の桟３４の表面３４ａと横桟３５の表面３７との上下距離はＬ３に設定されている。
【００２１】
起毛桟３３は、図８（ａ）に示すように、断面略Ｖ字状に形成されている。具体的には、短手方向中央部には、略平板状の平板部３３ａが形成されており、この平板部３３ａの短手方向両端には、平板部３３ａ側から短手方向の両端に向かうにつれて上方に位置するように傾斜した傾斜部３３ｂが設けられている。この傾斜部３３ｂは、平板部３３ａ側から短手方向の両端に向かうにつれて幅狭となるテーパ状に形成されており、当該傾斜部３３ｂの短手方向端３３ｌには、体毛７１を起立させる起毛部３３ｃが形成されている。この起毛部３３ｃは、肌面とのなす角度が小さい体毛（寝ている体毛）をより効率的に起こす起毛作用を有している。このように、本実施形態では、起毛桟３３には、主に剃り方向の一方方向（図３の左から右）に移動させた際に起毛作用を発揮する起毛部３３ｃ（図８の右側）と、主に剃り方向の他方方向（図３の右から左）に移動させた際に起毛作用を発揮する起毛部３３ｃ（図８の左側）と、が設けられている。
【００２２】
また、起毛桟３３は、平板部３３ａの上部平坦面３３ｄ、傾斜部３３ｂの上部傾斜面３３ｅ、平板部３３ａの底面３３および傾斜部３３ｂの下部傾斜面３３ｇによって画成されている。そして、起毛部３３ｃの短手方向端３３ｌと横桟３５の表面３７との上下距離はＬ２に設定されており、Ｌ２≦Ｌ３＜Ｌ１の大小関係でオフセット配置されている。
【００２３】
さらに、図８（ｂ）に示すように、傾斜部３３ｂの短手方向端３３ｌは、曲率半径Ｒ２の断面半円状に形成されており、Ｒ２<Ｒ１＝Ｒ３の大小関係に設定されている。このＲ２は、例えば３μｍが好ましい。ここで、二点鎖線で示す短手方向の基準線５７と上部傾斜面３３ｅとのなす逃げ角度αは、第１の桟３１の表面３１ａと短手方向の基準線５７とのなす逃げ角度（０°）および第２の桟３４の表面３４ａと短手方向の基準線５７とのなす逃げ角度（０°）よりも大きく設定されている。
【００２４】
また、図８および９に示すように、起毛桟３３の長手方向端部３３ｊは、横桟３５の側壁面５９から長手方向に向けて断面略直線状に延びており、長手方向端部３３ｊと長手方向中央部３３ｋとは、境界部３３ｍを介してなだらかに湾曲して連結されている。この境界部３３ｍの曲率半径は例えば１０μｍが好ましい。
【００２５】
このように、本実施形態の縦桟３０は、第１および第２の桟３１、３４よりも、起毛力の大きい起毛部３３ｃが設けられた起毛桟３３と、表面３１ａが、起毛部３３ｃの短手方向端３３ｌよりも内刃１３側に位置するように設けられた第１の桟３１と、表面３４ａが、第１の桟３１の表面３１ａよりも肌側に位置するように設けられた第２の桟３４と、を備えている。
【００２６】
ここで、本実施形態では、外刃１１の頂点Ｙを境にして進行方向後側に設けられる起毛部（第２の起毛部）３３ｃの起毛力を、前側に設けられる起毛部（第１の起毛部）３３ｃの起毛力よりも大きくしている。
【００２７】
具体的には、図５および１１に示すように、本実施形態では外刃１１の頂点Ｙを境にして進行方向一端側（図１１の右側）と他端側（図１１の左側）に、互いに同一形状の一対の起毛桟３３Ａおよび３３Ｂ（上述の起毛桟３３）を配置しており、この一対の起毛桟３３Ａおよび３３Ｂの間に、上述の第１の桟３１を配置している。
【００２８】
したがって、例えば図１１中、右側を進行方向前側とした場合には、第２の起毛部３３ｃを有した起毛桟３３Ｂの進行方向前方に、当該起毛桟３３Ｂと隣り合うようにして第１の桟３１が配置されることとなる。なお、一対の起毛桟３３Ａおよび３３Ｂの外側には、第２の桟３４が配置されている。このように、起毛桟３３Ｂの前方に第１の桟３１を配置することで、第２の起毛部（図１１中、起毛桟３３Ｂの右側の起毛部）３３ｃの進行方向前方の空間を広げて、肌面３７をより内刃１３側に食い込ませることができるようになる。したがって、電気かみそり１の使用時には、第２の起毛部３３ｃを肌面３７により接触させやすくすることができ、その結果、第１の起毛部３３ｃと第２の起毛部３３ｃの起毛力の差を緩和して、より効率的に体毛を起こすことができるようになる。
【００２９】
また、本実施形態では、一対の起毛桟３３Ａおよび起毛桟３３Ｂの間に第１の桟３１を配置しているため、電気かみそり１の剃り方向を反転させた場合（即ち、図１１中、左側を進行方向前方とした場合）にも同様の作用効果を得ることができる。
【００３０】
以上、詳細に亘って説明してきたように、本実施形態の電気かみそり１では、外刃１１の頂点Ｙを境にして進行方向後側に設けられる第２の起毛部３３ｃの起毛力を、前側に設けられる第１の起毛部３３ｃの起毛力よりも大きくしている。
【００３１】
したがって、電気かみそり１の使用時には、肌面３７との接触圧が低い後側の肌接触面に設けられる第２の起毛部３３ｃを、肌面３７により接触させやすくすることができるようになる。その結果、第１の起毛部３３ｃと第２の起毛部３３ｃの起毛力の差を緩和することができるようになり、より効率的に体毛を起こすことができる。そして、より効率的に体毛を起こすことができるようになることで、寝ている体毛の外刃１１に対する導入性能の向上を図ることができ、電気かみそり１の剃り能力を高めることができる。
【００３２】
また、本実施形態では、外刃１１の桟３２は、第１および第２の起毛部３３ｃ、３３ｃが互いに同一形状に形成される一対の起毛桟３３Ａ、３３Ｂと、肌と接触する肌接触面３１ａが、前記第１および第２の起毛部３３ｃ、３３ｃよりも内刃１３側となるように設けられた第１の桟３１とを備え、前記一対の起毛桟３３Ａ、３３Ｂの間に、当該起毛桟と隣り合うように第１の桟３１を配置している。
【００３３】
そのため、第２の起毛部３３ｃを肌面３７により接触させやすく（食い込ませやすく）でき、第２の起毛部３３ｃの起毛力を、第１の起毛部３３ｃの起毛力に対して大きくできる。
【００３４】
また、本実施形態では、起毛桟３３には、主に剃り方向の一方方向（図３の左から右）に移動させた際に起毛作用を発揮する起毛部３３ｃ（図８の右側）と、主に剃り方向の他方方向（図３の右から左）に移動させた際に起毛作用を発揮する起毛部３３ｃ（図８の左側）とが設けられている。そして、この起毛桟３３を外刃１１の頂点Ｙを境にして一端側と他端側に設け、これら一対の起毛桟３３Ａおよび３３Ｂの間に第１の桟３１を配置している。
【００３５】
したがって、電気かみそり１を剃り方向の一方方向および他方方向のいずれの方向に移動させても、進行方向後側に設けられる第２の起毛部３３ｃの起毛力を、前側に設けられる第１の起毛部３３ｃの起毛力よりも大きくできるという効果がある。よって、電気かみそり１を、前記剃り方向の一方方向および他方方向のいずれの方向に移動させても、第１の起毛部３３ｃと第２の起毛部３３ｃの起毛力の差を緩和して、より効率的に体毛を起こすことができるため、使用者の使い勝手が良好となるという効果がある。
【００３６】
また、本実施形態では、桟３２は、外刃１１の長手方向２３に沿って延設される縦桟３０と、短手方向２５に沿って延設される横桟３５とからなり、前記縦桟３０に起毛部３３ｃを設けた起毛桟３３を配置している。そのため、起毛桟３３によって起立させた体毛を刃穴３６に挿入しやすくなり、体毛を剃りやすくすることができるという効果がある。
【００３７】
また、本実施形態では、起毛桟３３の起毛部３３ｃを、外刃１１の外側（図中上方）に向かって斜めに立ち上がる先細り状としている。このように、短手方向端３３ｌを断面テーパ状（先細り形状）にして起毛部３３ｃとすることで、簡素な形状で起毛部３３ｃを形成することができる。また、起毛部３３ｃを外刃１１の外側（図中上方）に向かって斜めに立ち上がる先細り状とすることで、起毛角の小さい体毛が、起毛部３３ｃと肌との間に潜り込んでしまうのを抑制することができ、寝ている体毛をより確実に起立させることができる。
【００３８】
また、本実施形態では、起毛桟３３における長手方向端部３３ｊは断面略直線状に形成し、長手方向中央部３３ｋに傾斜部３３ｂを設け、これらの長手方向端部３３ｊと長手方向中央部３３ｋとの境界部３３ｍをなだらかに湾曲させて連結させている。このように、起毛桟３３における長手方向端部３３ｊと長手方向中央部３３ｋとの境界部３３ｍをなだらかに湾曲させて連結させることにより、外刃１１を肌面３７上に沿って移動させたときに、境界部３３ｍが肌面３７に与える影響（ダメージ）を抑制することができる。
【００３９】
以上、本発明の好適な実施形態について説明したが、本発明は上記実施形態には限定されず、種々の変形が可能である。例えば、上記実施形態では、第２の起毛部３３ｃの起毛力を第１の起毛部３３ｃの起毛力よりも大きくするために、同一形状の一対の起毛桟３３Ａおよび３３Ｂの間に、肌接触面３１ａの低い第１の桟３１を配置するようにしたが、第１の起毛部３３ｃと第２の起毛部３３ｃの形状や形態を異ならせることで、第２の起毛部の起毛力を大きくするようにしてもよい。
【符号の説明】
【００４０】
１    電気かみそり
３    かみそり本体
１１  外刃
１３  内刃
３１  第１の桟
３２  桟
３３  起毛桟
３３ｃ  第１の起毛部
３３ｃ  第２の起毛部
３６  刃穴
３７  肌面
Ｙ    頂点
【図１】
0005421834.tif 000002
【図２】
0005421834.tif 000003
【図３】
0005421834.tif 000004
【図４】
0005421834.tif 000005
【図５】
0005421834.tif 000006
【図６】
0005421834.tif 000007
【図７】
0005421834.tif 000008
【図８】
0005421834.tif 000009
【図９】
0005421834.tif 000010
【図１０】
0005421834.tif 000011
【図１１】
0005421834.tif 000012